(57)【要約】【課題】  熱源装置及び送給ポンプの動力ロスを削減し、システム全体の運転効率を高めることができる熱供給システムを提供する。【解決手段】  温熱搬送媒体又は冷熱搬送媒体を生成して供給するための熱源側システム４と、温熱搬送媒体又は冷熱搬送媒体によって搬送される温熱又は冷熱を消費する熱負荷側システム６とを備える。熱負荷側システム６の熱負荷側供給流路１８と熱負荷側戻し流路２０との間には、熱負荷１６をバイパスしてバイパス流路３６が設けられ、熱負荷１６から熱源側システム４に戻る温熱搬送媒体又は冷熱搬送媒体の温度が設定上温度以上又は設定下温度以下であると、熱負荷側戻し流路２０を通して戻る温熱搬送媒体又は冷熱搬送媒体は、バイパス流路３６を通して熱負荷側供給流路１８に戻される。【選択図】  図１
2007263531.tif 000002
【特許請求の範囲】
【請求項１】
温熱搬送媒体又は冷熱搬送媒体を生成して供給するための熱源側システムと、温熱搬送媒体又は冷熱搬送媒体によって搬送される温熱又は冷熱を消費する熱負荷側システムと、を備え、
前記熱源側システムは、温熱搬送媒体又は冷熱搬送媒体を生成する熱源装置と、前記熱源装置からの温熱搬送媒体又は冷熱搬送媒体を前記熱負荷側システムに供給するための熱源側供給流路と、前記熱源側供給流路に配設された主送給ポンプと、前記熱負荷側システムからの温熱搬送媒体又は冷熱搬送媒体を前記熱源装置に戻すための熱源側戻し流路と、を有し、
前記熱負荷側システムは、温熱搬送媒体又は冷熱搬送媒体により搬送される温熱又は冷熱を消費する熱負荷と、前記熱源側システムからの温熱搬送媒体又は冷熱搬送媒体を前記熱負荷に供給するための熱負荷側供給流路と、前記熱負荷からの温熱搬送媒体又は冷熱搬送媒体を前記熱源側システムに戻すための熱負荷側戻し流路と、を有し、
前記熱負荷側システムの前記熱負荷側供給流路と前記熱負荷側戻し流路との間には、前記熱負荷をバイパスしてバイパス流路が設けられ、前記バイパス流路にはバイパス送給ポンプが配設され、前記熱負荷から前記熱源側システムに戻る温熱搬送媒体又は冷熱搬送媒体の温度が設定上温度以上又は設定下温度以下であると、前記バイパス送給ポンプが作動され、前記熱負荷から前記熱源側システムに戻る温熱搬送媒体又は冷熱搬送媒体が前記バイパス流路を通して前記熱負荷側供給流路に戻されることを特徴とする熱供給システム。
【請求項２】
前記熱負荷側システムは複数の熱負荷を含んでおり、前記複数の熱負荷の少なくとも一つの特定熱負荷をバイパスして前記バイパス流路が設けられ、
前記特定熱負荷から前記熱負荷側戻し流路を通して戻る温熱搬送媒体又は冷熱搬送媒体の温度が前記設定上温度以上又は前記設定下温度以下であると、前記バイパス送給ポンプが作動され、前記特定熱負荷から前記熱負荷側戻し流路を通して戻る温熱搬送媒体又は冷熱搬送媒体が前記バイパス流路を通して前記熱負荷側供給流路に戻されることを特徴とする請求項１に記載の熱供給システム。
【請求項３】
前記特定熱負荷から前記熱負荷側戻し流路を通して戻る温熱搬送媒体又は冷熱搬送媒体の温度が前記設定上温度以上又は前記設定下温度以下であり、且つ前記特定熱負荷に供給される温熱搬送媒体又は冷熱搬送媒体の流量が設定流量以上であるときには、前記バイパス送給ポンプが作動され、前記特定熱負荷から前記熱負荷側戻し流路を通して戻る温熱搬送媒体又は冷熱搬送媒体が前記バイパス流路を通して前記熱負荷側供給流路に戻されることを特徴とする請求項２に記載の熱供給システム。
【請求項４】
前記熱負荷側システムは複数の熱負荷を含んでおり、前記複数の熱負荷をバイパスして前記バイパス流路が設けられ、
前記複数の熱負荷から前記熱源側システムに戻る温熱搬送媒体又は冷熱搬送媒体の温度が前記設定上温度以上又は前記設定下温度以下であると、前記バイパス送給ポンプが作動され、前記複数の熱負荷から前記熱源側システムに戻る温熱搬送媒体又は冷熱搬送媒体が前記バイパス流路を通して前記熱負荷側供給流路に戻されることを特徴とする請求項１に記載の熱供給システム。
【請求項５】
温熱搬送媒体又は冷熱搬送媒体を生成して供給するための熱源側システムと、温熱搬送媒体又は冷熱搬送媒体によって搬送される温熱又は冷熱を消費する熱負荷側システムと、を備え、
前記熱源側システムは、温熱搬送媒体又は冷熱搬送媒体を生成する熱源装置と、前記熱源装置からの温熱搬送媒体又は冷熱搬送媒体を前記熱負荷側システムに供給するための熱源側供給流路と、前記熱源側供給流路に配設された主送給ポンプと、前記熱負荷側システムからの温熱搬送媒体又は冷熱搬送媒体を前記熱源装置に戻すための熱源側戻し流路と、を有し、
前記熱負荷側システムは、温熱搬送媒体又は冷熱搬送媒体により搬送される温熱又は冷熱を消費する熱負荷と、前記熱源側システムからの温熱搬送媒体又は冷熱搬送媒体を前記熱負荷に供給するための熱負荷側供給流路と、前記熱負荷からの温熱搬送媒体又は冷熱搬送媒体を前記熱源側システムに戻すための熱負荷側戻し流路と、を有し、
前記熱負荷側システムの前記熱負荷側供給流路と前記熱負荷側戻し流路との間には、前記熱負荷をバイパスしてバイパス流路が設けられ、前記バイパス流路にはバイパス送給ポンプが配設され、前記熱源側システムの前記熱源装置が作動停止されると、前記バイパス送給ポンプが作動され、前記熱負荷から前記熱源側システムに戻る温熱搬送媒体又は冷熱搬送媒体が前記バイパス流路を通して前記熱負荷側供給流路に戻されることを特徴とする熱供給システム。
【発明の詳細な説明】
【技術分野】
【０００１】
本発明は、例えば住宅やビルなどの各需要家に対して、冷暖房用の温熱搬送媒体又は冷熱搬送媒体を供給するための熱供給システムに関する。
【背景技術】
【０００２】
従来より、例えば住宅やビルなどの需要家が集中している地域において、各需要家に備えられている例えば空調機器などの熱負荷に対して暖房用の温熱搬送媒体又は冷房用の冷熱搬送媒体を供給するための熱供給システムが実用に供されており、この熱供給システムによってエネルギーの有効利用が図られている。
【０００３】
図７は従来の熱供給システムを簡略的に示すブロック図であり、この熱供給システム１００は、冷熱搬送媒体（又は温熱搬送媒体）を生成するための熱源側システム１０２の熱源装置１０４と、冷熱搬送媒体（又は温熱搬送媒体）により搬送される冷熱（又は温熱）を消費する熱負荷側システム１０６の熱負荷１０８と、熱源装置１０４からの冷熱搬送媒体（又は温熱搬送媒体）を熱負荷１０８に供給するための供給流路１１０と、熱負荷１０８からの冷熱搬送媒体（又は温熱搬送媒体）を熱源装置１０４に戻すための戻し流路１１２と、供給流路１１０に配設された送給ポンプ１１４と、供給流路１１０と戻し流路１１２との間に設けられた圧力調節用流路１１６と、圧力調節用流路１１６に配設された差圧弁１１８と、差圧弁１１８の差圧を調節するためのコントローラ１２０と、を備えている（例えば、特許文献１参照）。
【０００４】
熱源装置１０４からの冷熱搬送媒体（又は温熱搬送媒体）は、送給ポンプ１１４の作用によって供給流路１１０を通して熱負荷１０８に供給され、この熱負荷１０８において熱交換が行われた後に戻し流路１１２を通して熱源装置１０４に戻される。また、熱負荷側システム１０６に供給される冷熱搬送媒体（又は温熱搬送媒体）の圧力が一定となるように制御するため、供給流路１１０を流れる冷熱搬送媒体（又は温熱搬送媒体）の圧力と戻し流路１１２を流れる冷熱搬送媒体（又は温熱搬送媒体）の圧力との差圧に基づいて差圧弁１１８が制御され、この差圧が大きくなると差圧弁１１８が開放されて冷熱搬送媒体（又は温熱搬送媒体）の一部が圧力調節用流路１１６を通して戻し流路１１２に戻される。
【０００５】
【特許文献１】特開平６−１５９７５４号公報
【発明の開示】
【発明が解決しようとする課題】
【０００６】
しかしながら、上述のような従来の熱供給システム１００では、次のような問題がある。例えば熱負荷１０８の負荷容量が小さい場合、あるいは熱負荷１０８における冷熱搬送媒体（又は温熱搬送媒体）の需要量が少ない場合には、熱負荷１０８での熱交換による冷熱搬送媒体の温度上昇（又は温熱搬送媒体の温度低下）が小さくなり、これにより、供給流路１１０を流れる冷熱搬送媒体（又は温熱搬送媒体）の温度と戻し流路１１２を流れる冷熱搬送媒体（又は温熱搬送媒体）との温度差が小さくなる。このような場合に熱負荷１０８からの冷熱搬送媒体（又は温熱搬送媒体）が熱源装置１０４に戻されると、熱源装置１０４及び送給ポンプ１１４の動力ロスが発生し、システム全体の運転効率が低下してしまうという問題が生じる。
【０００７】
本発明の目的は、熱源装置及び送給ポンプの動力ロスを削減し、システム全体の運転効率を高めることができる熱供給システムを提供することである。
【課題を解決するための手段】
【０００８】
本発明の請求項１に記載の熱供給システムでは、温熱搬送媒体又は冷熱搬送媒体を生成して供給するための熱源側システムと、温熱搬送媒体又は冷熱搬送媒体によって搬送される温熱又は冷熱を消費する熱負荷側システムと、を備え、
前記熱源側システムは、温熱搬送媒体又は冷熱搬送媒体を生成する熱源装置と、前記熱源装置からの温熱搬送媒体又は冷熱搬送媒体を前記熱負荷側システムに供給するための熱源側供給流路と、前記熱源側供給流路に配設された主送給ポンプと、前記熱負荷側システムからの温熱搬送媒体又は冷熱搬送媒体を前記熱源装置に戻すための熱源側戻し流路と、を有し、
前記熱負荷側システムは、温熱搬送媒体又は冷熱搬送媒体により搬送される温熱又は冷熱を消費する熱負荷と、前記熱源側システムからの温熱搬送媒体又は冷熱搬送媒体を前記熱負荷に供給するための熱負荷側供給流路と、前記熱負荷からの温熱搬送媒体又は冷熱搬送媒体を前記熱源側システムに戻すための熱負荷側戻し流路と、を有し、
前記熱負荷側システムの前記熱負荷側供給流路と前記熱負荷側戻し流路との間には、前記熱負荷をバイパスしてバイパス流路が設けられ、前記バイパス流路にはバイパス送給ポンプが配設され、前記熱負荷から前記熱源側システムに戻る温熱搬送媒体又は冷熱搬送媒体の温度が設定上温度以上又は設定下温度以下であると、前記バイパス送給ポンプが作動され、前記熱負荷から前記熱源側システムに戻る温熱搬送媒体又は冷熱搬送媒体が前記バイパス流路を通して前記熱負荷側供給流路に戻されることを特徴とする。
【０００９】
また、本発明の請求項２に記載の熱供給システムでは、前記熱負荷側システムは複数の熱負荷を含んでおり、前記複数の熱負荷の少なくとも一つの特定熱負荷をバイパスして前記バイパス流路が設けられ、
前記特定熱負荷から前記熱負荷側戻し流路を通して戻る温熱搬送媒体又は冷熱搬送媒体の温度が前記設定上温度以上又は前記設定下温度以下であると、前記バイパス送給ポンプが作動され、前記特定熱負荷から前記熱負荷側戻し流路を通して戻る温熱搬送媒体又は冷熱搬送媒体が前記バイパス流路を通して前記熱負荷側供給流路に戻されることを特徴とする。
【００１０】
さらに、本発明の請求項３に記載の熱供給システムでは、前記特定熱負荷から前記熱負荷側戻し流路を通して戻る温熱搬送媒体又は冷熱搬送媒体の温度が前記設定上温度以上又は前記設定下温度以下であり、且つ前記特定熱負荷に供給される温熱搬送媒体又は冷熱搬送媒体の流量が設定流量以上であるときには、前記バイパス送給ポンプが作動され、前記特定熱負荷から前記熱負荷側戻し流路を通して戻る温熱搬送媒体又は冷熱搬送媒体が前記バイパス流路を通して前記熱負荷側供給流路に戻されることを特徴とする。
【００１１】
また、本発明の請求項４に記載の熱供給システムでは、前記熱負荷側システムは複数の熱負荷を含んでおり、前記複数の熱負荷をバイパスして前記バイパス流路が設けられ、
前記複数の熱負荷から前記熱源側システムに戻る温熱搬送媒体又は冷熱搬送媒体の温度が前記設定上温度以上又は前記設定下温度以下であると、前記バイパス送給ポンプが作動され、前記複数の熱負荷から前記熱源側システムに戻る温熱搬送媒体又は冷熱搬送媒体が前記バイパス流路を通して前記熱負荷側供給流路に戻されることを特徴とする。
【００１２】
さらに、本発明の請求項５に記載の熱供給システムでは、温熱搬送媒体又は冷熱搬送媒体を生成して供給するための熱源側システムと、温熱搬送媒体又は冷熱搬送媒体によって搬送される温熱又は冷熱を消費する熱負荷側システムと、を備え、
前記熱源側システムは、温熱搬送媒体又は冷熱搬送媒体を生成する熱源装置と、前記熱源装置からの温熱搬送媒体又は冷熱搬送媒体を前記熱負荷側システムに供給するための熱源側供給流路と、前記熱源側供給流路に配設された主送給ポンプと、前記熱負荷側システムからの温熱搬送媒体又は冷熱搬送媒体を前記熱源装置に戻すための熱源側戻し流路と、を有し、
前記熱負荷側システムは、温熱搬送媒体又は冷熱搬送媒体により搬送される温熱又は冷熱を消費する熱負荷と、前記熱源側システムからの温熱搬送媒体又は冷熱搬送媒体を前記熱負荷に供給するための熱負荷側供給流路と、前記熱負荷からの温熱搬送媒体又は冷熱搬送媒体を前記熱源側システムに戻すための熱負荷側戻し流路と、を有し、
前記熱負荷側システムの前記熱負荷側供給流路と前記熱負荷側戻し流路との間には、前記熱負荷をバイパスしてバイパス流路が設けられ、前記バイパス流路にはバイパス送給ポンプが配設され、前記熱源側システムの前記熱源装置が作動停止されると、前記バイパス送給ポンプが作動され、前記熱負荷から前記熱源側システムに戻る温熱搬送媒体又は冷熱搬送媒体が前記バイパス流路を通して前記熱負荷側供給流路に戻されることを特徴とする。
【発明の効果】
【００１３】
本発明の請求項１に記載の熱供給システムによれば、熱負荷において暖房する場合に適用すると、熱負荷から熱源側システムに戻る温熱搬送媒体の温度が設定上温度以上であると、バイパス送給ポンプが作動され、熱負荷から熱源側システムに戻る温熱搬送媒体がバイパス流路を通して熱負荷側供給流路に戻される。また、熱負荷において冷房する場合に適用すると、熱負荷から熱源側システムに戻る冷熱搬送媒体の温度が設定下温度以下であると、バイパス送給ポンプが作動され、熱負荷から熱源側システムに戻る冷熱搬送媒体がバイパス流路を通して熱負荷側供給流路に戻される。このように構成されるので、熱負荷での熱交換による温熱搬送媒体の温度低下又は冷熱搬送媒体の温度上昇が小さいときに、熱負荷からの温熱搬送媒体又は冷熱搬送媒体がバイパス流路を通して熱負荷側供給流路に戻され、この温熱搬送媒体又は冷熱搬送媒体によって搬送される温熱又は冷熱が再び熱負荷によって消費されるようになる。したがって、熱負荷からの温熱搬送媒体又は冷熱搬送媒体の一部又は全部が熱源側システムに戻されることがなく、これによって熱源装置の動力ロスを削減することができ、システム全体の運転効率を高めることが可能となる。
【００１４】
また、本発明の請求項２に記載の熱供給システムによれば、複数の熱負荷のうち特定熱負荷から熱負荷側戻し流路を通して戻る温熱搬送媒体又は冷熱搬送媒体の温度が設定上温度以上又は設定下温度以下であると、バイパス送給ポンプが作動され、特定熱負荷から熱負荷側戻し流路を通して戻る温熱搬送媒体又は冷熱搬送媒体がバイパス流路を通して熱負荷側供給流路に戻されるので、特定熱負荷からの温熱搬送媒体又は冷熱搬送媒体によって搬送される温熱又は冷熱がこの特定熱負荷において再び消費され、また複数の熱負荷のうち残りの熱負荷においては、熱源装置からの温熱搬送媒体又は冷熱搬送媒体によって搬送される温熱又は冷熱が消費される。これにより、熱源側システムにおいて熱源装置の運転効率を上げることができるとともに、熱負荷側システムにおいて、温熱搬送媒体又は冷熱搬送媒体によって搬送される温熱又は冷熱をより効率的に消費させることが可能となる。
【００１５】
さらに、本発明の請求項３に記載の熱供給システムによれば、特定熱負荷から熱負荷側戻し流路を通して戻る温熱搬送媒体又は冷熱搬送媒体の温度が設定上温度以上又は設定下温度以下であり、且つ特定熱負荷に供給される温熱搬送媒体又は冷熱搬送媒体の流量が設定流量以上である（すなわち、特定熱負荷が作動状態である）ときにバイパス送給ポンプが作動されるので、特定熱負荷が作動停止状態であるときには、温熱搬送媒体又は冷熱搬送媒体がバイパス流路を通して循環されることがなく、これによりバイパス送給ポンプの動力ロスを削減することができ、システム全体のエネルギー削減を図ることが可能となる。
【００１６】
また、本発明の請求項４に記載の熱供給システムによれば、複数の熱負荷から熱源側システムに戻る温熱搬送媒体又は冷熱搬送媒体の温度が設定上温度以上又は設定下温度以下であると、バイパス送給ポンプが作動され、複数の熱負荷から熱源側システムに戻る温熱搬送媒体又は冷熱搬送媒体がバイパス流路を通して熱負荷側供給流路に戻され、複数の熱負荷からの温熱搬送媒体又は冷熱搬送媒体によって搬送される温熱又は冷熱がこれら複数の熱負荷において再び消費され、これによってシステム全体の動力ロスを削減することができるとともに、温熱搬送媒体又は冷熱搬送媒体によって搬送される温熱又は冷熱をより効率的に消費させることが可能となる。
【００１７】
さらに、本発明の請求項５に記載の熱供給システムによれば、熱源側システムの熱源装置が作動停止されると、バイパス送給ポンプが作動され、熱負荷から熱源側システムに戻る温熱搬送媒体又は冷熱搬送媒体がバイパス流路を通して熱負荷側供給流路に戻されるので、熱源装置が作動停止されている状態において、熱負荷側供給流路及び熱負荷側戻し流路内に存在する温熱搬送媒体又は冷熱搬送媒体の温熱エネルギー又は冷熱エネルギーを回収利用することができ、システム全体の運転効率を高めることが可能となる。熱源装置の作動停止後の循環は、例えば、熱負荷からの温熱搬送媒体又は冷熱搬送媒体の温度が設定上温度以下又は設定下温度以上になるまで、換言すると、温熱又は冷熱を利用できるまで行うことができる。
【発明を実施するための最良の形態】
【００１８】
以下、添付図面を参照して、本発明に従う熱供給システムの各種実施形態について説明する。
第１の実施形態
まず、図１及び図２を参照して、本発明の第１の実施形態による熱供給システムについて説明する。図１は、本発明の第１の実施形態による熱供給システムを簡略的に示すブロック図であり、図２は、図１の熱供給システムの制御系を簡略的に示すブロック図である。
【００１９】
図１において、図示の熱供給システム２は、温熱又は冷熱を生成して供給するための熱源側システム４と、熱を消費する熱負荷側システム６と、を備えている。冷房する場合、冷熱搬送媒体としての例えば水が用いられ、熱源側システム４にて生成された冷水が熱負荷側システム６に送給され、冷熱の消費によって冷房される。また、暖房する場合、温熱搬送媒体としての例えば水が用いられ、熱源側システム４にて生成された温水が熱負荷側システム６に送給され、温熱の消費によって暖房される。以下、冷房を行う場合について説明する。
【００２０】
熱源側システム４は、冷熱搬送媒体としての水を利用して冷水を生成するための熱源装置８と、熱源装置８からの冷水を熱負荷側システム６に供給するための熱源側供給流路１０と、熱源側供給流路１０に配設された主送給ポンプ１２と、熱負荷側システム６からの冷水を熱源装置８に戻すための熱源側戻し流路１４と、を有している。熱源装置８は、例えば吸収冷凍機やターボ冷凍機などから構成されており、この熱源装置８によって生成される冷水の温度は供給設定温度（例えば、約６〜９℃程度）に設定される。
【００２１】
熱負荷側システム６は、冷水により搬送される冷熱を消費する熱負荷１６と、熱源側システム４からの冷水を熱負荷１６に供給するための熱負荷側供給流路１８と、熱負荷１６からの冷水を熱源側システム４に戻すための熱負荷側戻し流路２０と、を有している。熱負荷１６は、例えば住宅やビルなどの需要家に設置された空調機器などから構成され、熱源装置８から供給された冷水との間で熱交換を行うための熱交換器（図示せず）を備え、この熱交換器における熱交換によって冷房が行われる。
【００２２】
熱源側供給流路１０と熱負荷側供給流路１８とは送りヘッダ２２を介して接続され、これにより、熱源装置８からの冷水は熱源側供給流路１０及び熱負荷側供給流路１８を通して熱負荷１６に供給される。また、熱源側戻し流路１４と熱負荷側戻し流路２０とは戻りヘッダ２４を介して接続され、これにより、熱負荷１６からの冷水は熱負荷側戻し流路２０及び熱源側供給流路１４を通して熱源装置８に戻される。
【００２３】
また、送りヘッダ２２と戻りヘッダ２４との間には圧力調節用流路２６が設けられており、この圧力調節用流路２６には制御弁２８が配設されている。送りヘッダ２２には、熱源側供給流路１０から熱負荷側供給流路１８に流れる冷水の圧力を検出するための第１圧力検出手段３０が設けられ、また戻りヘッダ２４には、熱負荷側戻し流路２０から熱源側戻し流路１４に流れる冷水の圧力を検出するための第２圧力検出手段３２が設けられている。
【００２４】
制御弁２８に関連して、制御弁２８の開度を制御するためのコントローラ３４が設けられており、このコントローラ３４は、第１及び第２圧力検出手段３０，３２からの検出信号に基づき、第１圧力検出手段３０により検出された圧力と第２圧力検出手段３２により検出された圧力との差圧が一定となるように制御弁２８の開度を制御する。すなわち、熱源側供給流路１０から熱負荷側供給流路１８に流れる冷水の圧力（送りヘッダ２２の冷水の圧力）が熱負荷側戻し流路２０から熱源側戻し流路１４に流れる冷水の圧力（戻りヘッダ２４の冷水の圧力）よりも所定値大きいときには、コントローラ３４により制御弁２８が開放され、熱源側供給流路１０を流れる冷水の一部が圧力調節用流路２６を通して熱源側戻し流路１４へバイパスされ、これにより送りヘッダ２２の冷水の圧力と戻りヘッダ２４の冷水の圧力との差圧が一定となり、熱負荷１６に供給される冷水の圧力を一定に保つことができる。
【００２５】
さらにこの熱供給システム２では、熱負荷側システム６の熱負荷側供給流路１８と熱負荷側戻し流路２０との間には、熱負荷１６をバイパスしてバイパス流路３６が設けられている。バイパス流路３６の下流側端部は、第１切替弁３８を介して熱負荷側供給流路１８に接続され、またその上流側端部は、第２切替弁４０を介して熱負荷側戻し流路２０に接続されている。また、バイパス流路３６にはバイパス送給ポンプ５４が配設されている。
【００２６】
第１切替弁３８は、送りヘッダ２２の下流側が熱負荷１６の上流側に接続される第１切替状態と、バイパス流路３６の下流側端部が熱負荷１６の上流側に接続される第２切替状態とに選択的に保持される。また、第２切替弁４０は、戻りヘッダ２４の上流側が熱負荷１６の下流側に接続される第１切替状態と、熱負荷１６の下流側がバイパス流路３６の上流側端部に接続される第２切替状態とに選択的に保持される。第１及び第２切替弁３８，４０が第１切替状態に保持されると、図１中の実線の矢印で示すように、冷水は熱源装置８、熱源側供給流路１０、熱負荷側供給流路１８、熱負荷１６、熱負荷側戻し流路２０及び熱源側戻し流路１４を通して循環され、また第１及び第２切替弁３８，４０が第２切替状態に保持されると、図１中の一点鎖線の矢印で示すように、冷水は熱負荷１６、熱負荷側戻し流路２０、バイパス流路３６及び熱負荷側供給流路１８を通して循環されるようになる。
【００２７】
また、バイパス流路３６に関連して、温度検出手段４２及び制御手段４４が設けられている。温度検出手段４２は熱負荷側戻し流路２０に配設され、この温度検出手段４２により、熱負荷１６から熱源側システム４に戻される冷水の温度が検出される。制御手段４４は、記憶手段４６及び切替信号生成手段４８を含んでいる（図２参照）。記憶手段４６には冷水の設定下温度データが記憶されており、この設定下温度は例えば約８℃に設定されている。切替信号生成手段４８は、温度検出手段４２からの検出信号と記憶手段４６に記憶された設定下温度とを比較し、熱負荷１６から熱源側システム４に戻る冷水の温度が設定下温度以上のときには第１切替信号を生成し、また熱負荷１６から熱源側システム４に戻る冷水の温度が設定下温度以下のときには第２切替信号を生成する。これら第１切替信号及び第２切替信号は、コントローラ３４、バイパス送給ポンプ５４、第１及び第２切替弁３８，４０にそれぞれ送給される。第２切替信号が送給されると、コントローラ３４は制御弁２８の開度が大きくなるように調節し、バイパス送給ポンプ５４は作動停止状態から作動状態となり、また第１及び第２切替弁３８，４０はそれぞれ第１切替状態から第２切替状態に切り替えられる。また、第１切替信号が送給されると、コントローラ３４は制御弁２８の開度が小さくなるように調節し、バイパス送給ポンプ５４は作動状態から作動停止状態となり、また第１及び第２切替弁３８，４０はそれぞれ第２切替状態から第１切替状態に切り替えられる。
【００２８】
次に、上述した熱供給システム２の動作について説明する。熱供給システム２を冷房運転すると、熱源装置８及び主送給ポンプ１２はそれぞれ作動され、バイパス送給ポンプ５４は作動停止状態に保持され、また第１及び第２切替弁３８，４０はそれぞれ第１切替状態に保持される。熱源装置８において生成された冷水、例えば６〜９℃の冷水は、主送給ポンプ１２の作用によって熱源側供給流路１０及び熱負荷側供給流路１８を通して熱負荷１６へと供給され、熱負荷１６において熱交換が行われて冷熱が消費される。このように熱交換が行われると、熱負荷１６から熱源側システム４に戻される冷水の温度は、熱源側システム４から熱負荷１６に供給される冷水の温度（すなわち、供給設定温度）よりも幾分上昇し、例えば１２〜１３℃程度となる。
【００２９】
このような冷房運転状態において、例えば熱負荷１６における冷水の消費量が少なくなると、熱負荷１６での熱交換による冷水の温度上昇は小さくなり、熱負荷１６から熱源側システム４に戻される冷水の温度が低下する。このようにして熱負荷側戻し流路２０の冷水の温度が設定下温度（例えば、８℃）以下になると、制御手段４４の切替信号生成手段４８は第２切替信号を生成し、この生成された第２切替信号に基づき、コントローラ３４により制御弁２８の開度が大きくなるように調節され、バイパス送給ポンプ５４は作動停止状態から作動状態となり、また第１及び第２切替弁３８，４０はそれぞれ第１切替状態から第２切替状態に切り替えられる。このように切り替えられると、熱負荷１６からの冷水は、熱負荷側戻し流路２０及び第２切替弁４０を通してバイパス流路３６へと流れ、更にバイパス送給ポンプ５４の作用によってバイパス流路３６及び第１切替弁３８を通して熱負荷側供給流路１８に戻された後に、熱負荷１６に供給される。したがって、このように熱負荷１６から熱源側システム４に戻される冷水は、熱源装置８を経ることなく、バイパス送給ポンプ５４の作用によって熱負荷１６に供給され、熱負荷１６において再び熱交換されてその冷熱が消費される。このとき、コントローラ３４によって制御弁２８の開度が大きくなるように調節されているので、熱源装置８からの冷水は、熱源側供給流路１０、圧力調節用流路２６及び熱源側戻し流路１４を通して循環されるようになる。
【００３０】
このように熱負荷側戻し流路２０を通して戻される冷水が熱負荷側供給流路１８へバイパスして送給されている状態において、熱負荷側戻し流路２０を通して戻る冷水の温度が上昇して設定下温度以上になると、制御手段４４の切替信号生成手段４８は第１切替信号を生成し、この生成された第１切替信号に基づき、コントローラ３４により制御弁２８の開度が小さくなるように調節され、バイパス送給ポンプ５４は作動状態から作動停止状態となり、また第１及び第２切替弁３８，４０はそれぞれ第２切替状態から第１切替状態に切り替えられ、熱負荷１６からの冷水は熱源装置８に戻されて冷熱されて熱源側供給流路１０を通して熱負荷１６に供給される。
【００３１】
この第１の実施形態による熱供給システム２では、熱負荷１６での熱交換による冷熱の消費が少なくて冷水の温度上昇が小さい、すなわち、熱源側供給流路１０から熱負荷側供給流路１８に流れる冷水の温度と熱負荷側戻し流路２０から熱源側戻し流路１４に流れる冷水の温度との温度差が小さいときには、熱負荷１６からの冷水が熱源装置８に戻されることがなく、この冷水によって搬送される冷熱が再び熱負荷１６によって消費されるので、冷熱の使用効率を高めることができるとともに、熱源装置８の動力ロスを削減することができ、システム全体の運転効率を高めることが可能となる。
【００３２】
なお、暖房運転の場合には、熱源装置８において温水が生成され、制御手段４４の記憶手段４６には設定上温度データが記憶され、設定上温度として例えば約５０℃が設定される。また、切替信号生成手段４８は、熱負荷１６から熱源側システム４に戻る温水の温度が設定上温度以下のときには第１切替信号を生成し、またこの温水の温度が設定上温度以上のときには第２切替信号を生成する。暖房運転における第１及び第２切替信号による切替については上述した冷房運転と同様に行われるので、この場合においても上述したのと同様の作用効果が達成される。
【００３３】
第２の実施形態
次に、図３及び図４を参照して、本発明の第２の実施形態による熱供給システムについて説明する。図３は、本発明の第２の実施形態による熱供給システムを簡略的に示すブロック図であり、図４は、図３の熱供給システムの制御系を簡略的に示すブロック図である。なお、以下の実施形態において、第１の実施形態と実質上同一の構成要素には同一の符号を付し、その説明を省略する。
【００３４】
第２の実施形態による熱供給システム２Ａでは、暖房を行う場合について説明すると、熱源側システム４Ａの熱源装置５０は例えばヒートポンプ、温水発生機及び蒸気熱交換器（すなわち、蒸気との間で熱交換を行う熱交換器）などから構成されており、この熱源装置５０によって水を利用して温熱搬送媒体としての温水が生成される。この熱源装置５０により生成される温水の温度は、供給設定温度（例えば、約５２〜５７℃程度）に設定されている。
【００３５】
第２の実施形態の熱供給システム２Ａでは、熱負荷側システム６Ａは、複数の熱負荷５６ａ〜５６ｃ（実際のシステムでは多数の熱負荷を含んでいるが、この実施形態では説明の便宜上３つを示す）を含んでいる。これら熱負荷５６ａ〜５６ｃはそれぞれ、温水との間で熱交換を行うための熱交換器（図示せず）を備えており、温水との熱交換によって暖房が行われる。熱負荷側供給流路１８Ａａ〜１８Ａｃはそれぞれ、熱負荷５６ａ〜５６ｃの各々の上流側と送りヘッダ２２の下流側との間に設けられ、また熱負荷側戻し流路２０Ａａ〜２０Ａｃはそれぞれ、熱負荷５６ａ〜５６ｃの各々の下流側と戻りヘッダ２４の上流側との間に設けられている。熱負荷側戻し流路２０Ａａ〜２０Ａｃにはそれぞれ温度検出手段４２ａ〜４２ｃが配設され、また熱負荷側供給流路１８Ａａ〜１８Ａｃにはそれぞれ流量検出手段５８ａ〜５８ｃが配設されており、これら流量検出手段５８ａ〜５８ｃにより、熱負荷５６ａ〜５６ｃにそれぞれ供給される温水の流量が検出される。
【００３６】
熱負荷５６ａ（５６ｂ）（５６ｃ）の熱負荷側供給流路１８Ａａ（１８Ａｂ）（１８Ａｃ）と熱負荷側戻し流路２０Ａａ（２０Ａｂ）（２０Ａｃ）との間には、熱負荷５６ａ（５６ｂ）（５６ｃ）をバイパスしてバイパス流路３６Ａａ（３６Ａｂ）（３６Ａｃ）が設けられている。バイパス流路３６Ａａ（３６Ａｂ）（３６Ａｃ）の下流側端部はそれぞれ、第１切替弁３８Ａａ（３８Ａｂ）（３８Ａｃ）を介して熱負荷側供給流路１８Ａａ（１８Ａｂ）（１８Ａｃ）に接続され、またその上流側端部は、第２切替弁４０Ａａ（４０Ａｂ）（４０Ａｃ）を介して熱負荷側戻し流路２０Ａａ（２０Ａｂ）（２０Ａｃ）に接続されている。また、各バイパス流路３６Ａａ〜３６Ａｃにはそれぞれバイパス送給ポンプ５４Ａａ〜５４Ａｃが配設されており、これらバイパス送給ポンプ５４Ａａ〜５４Ａｃにはそれぞれ、その吐出圧力を一定にするためのリリーフ弁（図示せず）が設けられている。
【００３７】
第１切替弁３８Ａａ〜３８Ａｃは、熱負荷５６ａ〜５６ｃの上流側が送りヘッダ２２の下流側に接続される第１切替状態と、熱負荷５６ａ（５６ｂ）（５６ｃ）の上流側がバイパス流路３６Ａａ（３６Ａｂ）（３６Ａｃ）の下流側端部に接続される第２切替状態とに選択的に保持される。また、第２切替弁４０Ａａ〜４０Ａｃは、熱負荷５６ａ〜５６ｃの下流側が戻りヘッダ２４の上流側に接続される第１切替状態と、熱負荷５６ａ（５６ｂ）（５６ｃ）の下流側がバイパス流路３６Ａａ（３６Ａｂ）（３６Ａｃ）の上流側端部に接続される第２切替状態とに選択的に保持される。第１及び第２切替弁３８Ａａ〜３８Ａｃ，４０Ａａ〜４０Ａｃがそれぞれ第１切替状態に保持されると、図３中の実線の矢印で示すように、温水は熱源装置５０、熱源側供給流路１０Ａ、熱負荷側供給流路１８Ａａ（１８Ａｂ）（１８Ａｃ）、熱負荷５６ａ（５６ｂ）（５６ｃ）、熱負荷側戻し流路２０Ａａ（２０Ａｂ）（２０Ａｃ）及び熱源側戻し流路１４Ａを通して循環され、また第１及び第２切替弁３８Ａａ〜３８Ａｃ，４０Ａａ〜４０Ａｃがそれぞれ第２切替状態に保持されると、図３中の一点鎖線の矢印で示すように、温水は熱負荷５６ａ（５６ｂ）（５６ｃ）、熱負荷側戻し流路２０Ａａ（２０Ａｂ）（２０Ａｃ）、バイパス流路３６Ａａ（３６Ａｂ）（３６Ａｃ）及び熱負荷側供給流路１８Ａａ（１８Ａｂ）（１８Ａｃ）を通して循環されるようになる。
【００３８】
また、制御手段４４Ａ（図４参照）の記憶手段４６Ａには温水の設定上温度データ及び設定流量データがそれぞれ記憶されており、この設定上温度は例えば約５０℃に設定されている。制御手段４４Ａの切替信号生成手段４８Ａは、流量検出手段５８ａ〜５８ｃからの検出信号と記憶手段４６Ａに記憶された設定流量とを比較するとともに、温度検出手段４２ａ〜４２ｃからの検出信号と記憶手段４６Ａに記憶された設定上温度とを比較し、検出流量が設定流量以上であり（すなわち、特定熱負荷が作動状態であり）且つ検出温度が設定上温度以上のときには第２切替信号を生成し、また、検出流量が設定流量以下である（すなわち、特定熱負荷が作動停止状態である）とき、あるいは検出温度が設定上温度以下のときには第１切替信号を生成する。第２切替信号が生成されると、バイパス送給ポンプ５４Ａａ（５４Ａｂ）（５４Ａｃ）は作動停止状態から作動状態となり、第１及び第２切替弁３８Ａａ（３８Ａｂ）（３８Ａｃ），４０Ａａ（４０Ａｂ）（４０Ａｃ）はそれぞれ第１切替状態から第２切替状態に切り替えられ、また第１切替信号が生成されると、バイパス送給ポンプ５４Ａａ（５４Ａｂ）（５４Ａｃ）は作動状態から作動停止状態となり、第１及び第２切替弁３８Ａａ（３８Ａｂ）（３８Ａｃ），４０Ａａ（４０Ａｂ）（４０Ａｃ）はそれぞれ第２切替状態から第１切替状態に切り替えられる。
【００３９】
次に、上述した熱供給システム２Ａの動作について説明する。この熱供給システム２Ａを暖房運転すると、熱源装置５０及び主送給ポンプ１２はそれぞれ作動され、バイパス送給ポンプ５４Ａａ〜５４Ａｃは作動停止状態に保持され、また第１及び第２切替弁３８Ａａ〜３８Ａｃ，４０Ａａ〜４０Ａｃはそれぞれ第１切替状態に保持される。熱源装置５０において生成された温水は、主送給ポンプ１２の作用によって熱源側供給流路１０Ａ及び熱負荷側供給流路１８Ａａ〜１８Ａｃを通して各熱負荷５６ａ〜５６ｃへと供給され、各熱負荷５６ａ〜５６ｃにおいてそれぞれ熱交換が行われて温熱が消費される。このように熱交換が行われると、各熱負荷５６ａ〜５６ｃから熱源側システム４Ａに戻る温水の温度は、熱源側システム４Ａから各熱負荷５６ａ〜５６ｃに供給される温水の温度（すなわち、供給設定温度）よりも幾分低下する。
【００４０】
このような暖房運転において、特定熱負荷としての例えば熱負荷５６ｃにおける温水の消費量が少なくなると、熱負荷５６ｃでの熱交換による温水の温度低下は小さくなる。流量検出手段５８ｃによる検出流量が設定流量以上であり（すなわち、熱負荷５６ｃが作動状態であり）、且つ温度検出手段４２ｃによる検出温度が設定上温度以上であると、切替信号生成手段４８Ａは、熱負荷５６ｃに対応する温度検出手段４２ｃ及び流量検出手段５８ｃからの各検出信号に基づき第２切替信号を生成する。この生成された第２切替信号は、熱負荷５６ｃに対応するバイパス送給ポンプ５４Ａｃ並びに第１及び第２切替弁３８Ａｃ，４０Ａｃにそれぞれ送給され、これによりバイパス送給ポンプ５４Ａｃは作動停止状態から作動状態となり、また第１及び第２切替弁３８Ａｃ，４０Ａｃはそれぞれ第１切替状態から第２切替状態に切り替えられる。したがって、熱負荷５６ｃからの温水は、熱負荷側戻し流路２０Ａｃ及び第２切替弁４０Ａｃを通してバイパス流路３６Ａｃへと流れた後に、バイパス送給ポンプ５４Ａｃの作用によってバイパス流路３６Ａｃを通して熱負荷側供給流路１８Ａｃに戻され、更に熱負荷５６ｃに供給されて熱交換されて温熱が消費される。また、複数の熱負荷５６ａ〜５６ｃのうち残りの熱負荷５６ａ，５６ｂに対応するバイパス送給ポンプ５４Ａａ，５４Ａｂ、第１切替弁３８Ａａ，３８Ａｂ及び第２切替弁４０Ａａ，４０Ａｂにはそれぞれ第１切替信号が送給され続け、これにより熱負荷５６ａ，５６ｂからの温水は、熱負荷側戻し流路２０Ａａ，２０Ａｂ及び熱源側戻し流路１４Ａを通して熱源装置５０に戻され、熱源装置５０にて温熱された後に熱源側供給流路１０Ａ及び熱負荷側供給流路１８Ａａ，１８Ａｂを通して熱負荷５６ａ，５６ｂに供給される。
【００４１】
このような暖房運転状態において、熱負荷５６ｃから熱源側システム４Ａに戻る温水の温度が設定上温度以下になると、切替信号生成手段４８Ａは第１切替信号を生成し、この生成された第１切替信号に基づき、熱負荷５６ｃに対応するバイパス送給ポンプ５４Ａｃは作動状態から作動停止状態となり、また熱負荷５６ｃに対応する第１及び第２切替弁３８Ａｃ，４０Ａｃはそれぞれ第２切替状態から第１切替状態に切り替えられ、熱負荷５６ｃからの温水は熱源装置５０に戻される。したがって、この第２の実施形態による熱供給システム２Ａにおいても、上記第１及び第２の実施形態と略同様の作用効果が達成される。
【００４２】
なお、流量検出手段５８ｃによる検出流量が設定流量以下である（すなわち、熱負荷５６ｃが作動停止状態である）ときには、切替信号生成手段４８Ａは第２切替信号を生成しない。これにより、作動停止されている熱負荷５６ｃにおいては温水がバイパス流路３６Ａｃを通して循環されることがなく、バイパス送給ポンプ５４Ａｃの動力ロスを削減することができ、システム全体のエネルギー削減を図ることが可能となる。
【００４３】
本実施形態では、複数の熱負荷５６ａ〜５６ｃのうち１つの熱負荷５６ｃからの温水の温度が設定上温度以上である場合について説明したが、複数の熱負荷５６ａ〜５６ｃのうち例えば２つの熱負荷５６ａ及び熱負荷５６ｂからの温水の温度が設定上温度以上であり、且つ熱負荷５６ａ及び熱負荷５６ｂにそれぞれ供給される温水の流量が設定流量以上である場合には、上述したのと同様にして、熱負荷５６ａ及び熱負荷５６ｂからの温水をそれぞれ熱負荷側供給流路１８Ａａ，１８Ａｂにバイパスさせるようにすればよい。あるいは、複数の熱負荷５６ａ〜５６ｃの全てからの温水の温度が設定上温度以上であり、且つ熱負荷５６ａ〜５６ｃにそれぞれ供給される温水の流量が設定流量以上である場合には、熱負荷５６ａ〜５６ｃからの温水をそれぞれ熱負荷側供給流路１８Ａａ〜１８Ａｃにバイパスさせるようにすればよい。
【００４４】
なお、冷房運転の場合には、上述した第１の実施形態と同様に、熱源装置５０において冷水が生成され、制御手段４４Ａの記憶手段４６Ａには設定下温度データが記憶され、設定下温度として例えば約８℃が設定され、上述した第１の実施形態と同様にして作動される。
【００４５】
第３の実施形態
次に、図５及び図６を参照して、本発明の第３の実施形態による熱供給システムについて説明する。図５は、本発明の第３の実施形態による熱供給システムを簡略的に示すブロック図であり、図６は、図５の熱供給システムの制御系を簡略的に示すブロック図である。
【００４６】
第３の実施形態による熱供給システム２Ｂでは、熱源装置８Ｂには、熱源装置８Ｂが作動停止されたことを検出するための作動停止状態検出手段６０が設けられ、また制御手段４４Ｂは、切替信号生成手段４８Ｂ及びタイマ６２を含んでおり、上記第１及び第２の実施形態のように温度検出手段は設けられていない。切替信号生成手段４８Ｂは、作動停止状態検出手段６０からの検出信号に基づき、熱源装置８Ｂが作動状態であるときには第１切替信号を生成し、また熱源装置８Ｂが作動状態から作動停止状態となったときには第２切替信号を生成する。これら第１及び第２切替信号は、第１制御弁３８Ｂ、第２切替弁４０Ｂ及びバイパス送給ポンプ５４にそれぞれ送給される。第２切替信号が送給されると、バイパス送給ポンプ５４は作動停止状態から作動状態となり、また第１及び第２切替弁３８Ｂ，４０Ｂはそれぞれ第１切替状態から第２切替状態に切り替えられる。また、第１切替信号が送給されると、バイパス送給ポンプ５４は作動状態から作動停止状態となり、また第１及び第２切替弁３８Ｂ，４０Ｂはそれぞれ第２切替状態から第１切替状態に切り替えられる。タイマ６２は、作動停止状態検出手段６０からの検出信号が制御手段４４Ｂに送給されてから所定時間（例えば、約１時間）をカウントし、切替信号生成手段４８Ｂによる第２切替信号の生成は、タイマ６２による上記所定時間のカウントが完了するまで（すなわち、上記所定時間が経過するまで）行われる。
【００４７】
また、バイパス送給ポンプ５４に関連して、バイパス送給ポンプ５４の回転数を制御するための回転数制御手段６４が設けられており、第１切替弁３８Ｂには、バイパス流路３６から熱負荷側供給流路１８に流れる冷水の圧力を検出するための第３圧力検出手段６６が設けられ、また第２切替弁４０Ｂには、熱負荷側戻し流路２０からバイパス流路３６に流れる冷水の圧力を検出するための第４圧力検出手段６８が設けられている。回転数制御手段６４は、第３及び第４圧力検出手段６６，６８からの検出信号に基づき、熱負荷側供給流路１８及び熱負荷側戻し流路２０をそれぞれ流れる冷水の圧力の差圧が一定となるようにバイパス送給ポンプ５４の回転数を制御する。この回転数制御手段６４により設定される差圧は、上述のコントローラ３４により設定される差圧よりも僅かに低く設定され、かく設定されることにより、後述するようにバイパス流路３６を通してバイパスされる冷水の流量を比較的少なくすることができ、バイパス送給ポンプ５４の動力エネルギー削減を図ることができる。
【００４８】
次に、第３の実施形態による熱供給システム２Ｂの動作について説明する。熱供給システム２Ｂによる１日の冷房運転時間（例えば、約１２時間）が設定されており、冷房運転開始時刻になると熱供給システム２Ｂによる冷房運転が開始され、また冷房運転終了時刻になると熱供給システム２Ｂによる冷房運転が終了される。冷房運転開始時刻になって熱供給システム２Ｂの冷房運転が開始されると、熱源装置８Ｂ及び主送給ポンプ１２はそれぞれ作動され、バイパス送給ポンプ５４は作動停止状態に保持され、また第１及び第２切替弁３８Ｂ，４０Ｂはそれぞれ第１切替状態に保持される。熱源装置８Ｂにおいて生成された冷水は、主送給ポンプ１２の作用によって熱源側供給流路１０及び熱負荷側供給流路１８を通して熱負荷１６へと供給される。
【００４９】
このような冷房運転状態において、冷房運転終了時刻になって熱供給システム２Ｂの冷房運転が終了されると、熱源装置８Ｂ及び主送給ポンプ１２はそれぞれ作動停止される。このように熱源装置８Ｂが作動停止されると、作動停止状態検出手段６０からの検出信号に基づき、切替信号生成手段４８Ｂは第２切替信号を生成し、またタイマ６２による上記所定時間のカウントが開始される。この生成された第２切替信号に基づき、バイパス送給ポンプ５４は作動停止状態から作動状態となり、また第１及び第２切替弁３８Ｂ，４０Ｂはそれぞれ第１切替状態から第２切替状態に切り替えられる。このように切り替えられると、上記第１の実施形態と同様に、熱負荷１６からの冷水は、熱負荷側戻し流路２０を通してバイパス流路３６へと流れ、バイパス送給ポンプ５４の作用によって熱負荷側供給流路１８に戻された後に熱負荷１６に供給される。
【００５０】
このように熱負荷側戻し流路２０を通して戻される冷水が熱負荷側供給流路１８へバイパスして送給されている状態において、タイマ６２による上記所定時間のカウントが完了すると（すなわち、上記所定時間が経過すると）、切替信号生成手段４８Ｂにより第１切替信号が生成され、この生成された第１切替信号に基づき、バイパス送給ポンプ５４は作動状態から作動停止状態となり、また第１及び第２切替弁３８，４０はそれぞれ第２切替状態から第１切替状態に切り替えられ、これにより熱負荷１６からの冷水の熱負荷側供給流路１８へのバイパス循環が停止される。
【００５１】
したがって、この第３の実施形態による熱供給システム２Ｂでは、熱源装置８Ｂが作動停止されてから上記所定時間が経過するまで熱負荷１６からの冷水を熱負荷側供給流路１８へバイパスさせることにより、熱負荷側供給流路１８及び熱負荷側戻し流路２０内の冷水の冷熱エネルギーを熱負荷１６での熱交換により回収することができる。このように、熱源装置８Ｂの作動停止後に熱負荷側供給流路１８及び熱負荷側戻し流路２０内に存在する冷水の冷熱エネルギーでもって冷房運転を行うことにより、従来の熱供給システムと比較して冷房運転終了時刻を早めることができ、システム全体の運転効率を高めることが可能となる。
【００５２】
なお、この第３の実施形態では、熱源装置８Ｂの作動停止後における冷水の循環は、タイマ６２による上記所定時間のカウントが完了するまで行われるように構成したが、例えば次のように構成してもよい。すなわち、熱負荷側戻し流路２０に温度検出手段（図示せず）を設け、制御手段４４Ｂにおいて温度検出手段からの検出温度と設定下温度（例えば、８℃）とを比較し、熱負荷１６からの冷水の温度が設定下温度以上になるまで、換言すると、熱負荷１６からの冷水の冷熱エネルギーを利用することができるまで冷水の循環が行われるように構成してもよい。
【００５３】
以上、本発明に従う種々の熱供給システムの実施形態について説明したが、本発明はかかる実施形態に限定されるものではなく、本発明の範囲を逸脱することなく種々の変形乃至修正が可能である。
【００５４】
例えば、上記第１の実施形態では、熱負荷側システム６は１つの熱負荷１６を含むように構成したが、上記第２の実施形態と同様に複数の熱負荷を含むように構成してもよく、この場合には、複数の熱負荷をバイパスしてバイパス流路を設けるようにすればよい。
【００５５】
また例えば、上記第１の実施形態では、温度検出手段４２を熱負荷側戻し流路２０に設けたが、これを熱源側戻し流路１４に設けるようにしてもよい。
【図面の簡単な説明】
【００５６】
【図１】本発明の第１の実施形態による熱供給システムを簡略的に示すブロック図である。
【図２】図１の熱供給システムの制御系を簡略的に示すブロック図である。
【図３】本発明の第２の実施形態による熱供給システムを簡略的に示すブロック図である。
【図４】図３の熱供給システムの制御系を簡略的に示すブロック図である。
【図５】本発明の第３の実施形態による熱供給システムを簡略的に示すブロック図である。
【図６】図５の熱供給システムの制御系を簡略的に示すブロック図である。
【図７】従来の熱供給システムを簡略的に示すブロック図である。
【符号の説明】
【００５７】
２，２Ａ，２Ｂ，１００  熱供給システム
４，４Ａ，４Ｂ，１０２  熱源側システム
６，６Ａ，６Ｂ，１０６  熱負荷側システム
８，８Ｂ，５０，１０４  熱源装置
１０，１０Ａ  熱源側供給流路
１２  主送給ポンプ
１４，１４Ａ  熱源側戻し流路
１６，５６ａ〜５６ｃ，１０８  熱負荷
１８，１８Ａａ〜１８Ａｃ  熱負荷側供給流路
２０，２０Ａａ〜２０Ａｃ  熱負荷側戻し流路
３６，３６Ａａ〜３６Ａｃ  バイパス流路
５４，５４Ａａ〜５４Ａｃ  バイパス送給ポンプ
【図１】
2007263531.tif 000003
【図２】
2007263531.tif 000004
【図３】
2007263531.tif 000005
【図４】
2007263531.tif 000006
【図５】
2007263531.tif 000007
【図６】
2007263531.tif 000008
【図７】
2007263531.tif 000009